(57)【特許請求の範囲】
【請求項１】
シートに配置されるアームレスト装置であって、
第１回動軸を中心に回動することにより上記シートに対して起立した起立状態と該起立状態から前に倒れてアームレスト面が水平状に延在する傾倒状態とに設定されるアームレスト部材と、
第２回動軸を中心に上記シートに対して起立した待機位置と該待機位置から前に倒れてテーブル面が水平状に延在する使用位置との間で回動可能となるように上記シートに支持され、上記待機位置にあるときに上記アームレスト部材の後方に配置され、上記使用位置にあるときに上記アームレスト部材の上方に配置されるテーブル部材と、
上記テーブル部材の後方に配置される収納容器と、
上記テーブル部材と上記収納容器とを互いに回動自在に連結する連結アームと、
を備え、
上記テーブル部材における上記連結アームとの連結部は、上記テーブル部材が上記待機位置にあるときの上記第２回動軸よりも上方に位置し、上記テーブル部材が上記第２回動軸を中心に上記待機位置から上記使用位置へと回動する動作に連動して上記第２回動軸を中心に前方へ回動する、アームレスト装置。
【請求項２】
上記アームレスト部材は、上記第１回動軸において上記テーブル部材に回動可能に支持され、
上記第１回動軸は、上記テーブル部材が上記待機位置にあるときの上記第２回動軸よりも上方に位置すると共に、上記テーブル部材が上記第２回動軸を中心に上記待機位置から上記使用位置へと回動する動作に連動して上記第２回動軸を中心に前方へ回動することにより、上記テーブル部材が上記待機位置にあるときの上記アームレスト部材の上記傾倒状態における上記アームレスト面よりも低所に上記テーブル部材の上記使用位置における上記テーブル面が配置される、請求項１に記載のアームレスト装置。
【請求項３】
上記テーブル部材が上記待機位置にあるとき、上記収納容器が上記シートのシートバックに後方に向けて凹むように設けられた格納凹部に格納され且つ上記テーブル部材が上記格納凹部の開口部分を塞ぐ一方で、上記テーブル部材が上記待機位置から上記使用位置へと回動することによって、上記テーブル部材が上記格納凹部の開口部分を開放して該開口部分を通じて上記収納容器が前方へ引き出される、請求項１または２に記載のアームレスト装置。
【請求項４】
上記テーブル部材は、上記使用位置において上記シートのシートクッションの前端部よりも後方に配置される、請求項１〜３のいずれか一項に記載のアームレスト装置。
【発明の詳細な説明】
【技術分野】
【０００１】
本発明は、シートに配置されるアームレスト装置に関する。
【背景技術】
【０００２】
この種のアームレスト装置の一例が下記特許文献１に開示されている。このアームレスト装置は、車両用のシートに回動可能に支持されたアームレスト部材と、アームレスト部材に引き出し自在に収納されるトレイとを備えている。アームレスト部材は、不使用時にシートに対して起立した起立状態でシートバックに沿って格納され、使用時に乗員によって前方に略水平状態まで倒れるように操作される。これにより、アームレスト部材は、アームレスト面に乗員の肘や腕を乗せることができるアームレスト機能を発揮する。一方で、トレイは、不使用時にアームレスト部材に収納され、使用時に乗員によってアームレスト部材の前端部から前方へ引き出される。トレイは、引き出された状態で、テーブル面に飲料容器や小物などを保持したり載せたりすることができるテーブル機能を発揮する。即ち、トレイは、アームレスト部材から引き出されて使用される引き出し式のテーブル部材として構成されている。
【先行技術文献】
【特許文献】
【０００３】
【特許文献１】特開２００１−１７２６９号公報
【発明の概要】
【発明が解決しようとする課題】
【０００４】
上記特許文献１に開示のアームレスト装置は、引き出し式のテーブル部材を備えるため、以下の課題を有する。このテーブル部材は、アームレスト部材に収納可能に構成されており、テーブル面の面積を設定するのにアームレスト部材から制約を受ける。従って、テーブル面の面積をアームレスト面の面積を超えて設定することができず、テーブル部材のテーブル機能が制限される。また、このテーブル部材は、シートに着座した乗員から遠ざかる方向へ引き出されて使用されるため、使用時にテーブル面の全体にわたって乗員の手指が届き難く使いづらい。更に、アームレスト部材から引き出されたテーブル部材は、シートクッションの前端部に沿って左右に移動する乗員に干渉し易い。従って、状況に応じてテーブル部材をアームレスト部材に収納する操作が必要になり面倒である。
【０００５】
本発明は、かかる背景に鑑みてなされたものであり、アームレスト部材及びテーブル部材を備えたアームレスト装置の利便性を向上させるのに有効な技術を提供しようとするものである。
【課題を解決するための手段】
【０００６】
本発明の一態様は、シートに配置されるアームレスト装置であって、第１回動軸を中心に回動することにより上記シートに対して起立した起立状態と該起立状態から前に倒れてアームレスト面が水平状に延在する傾倒状態とに設定されるアームレスト部材と、第２回動軸を中心に上記シートに対して起立した待機位置と該待機位置から前に倒れてテーブル面が水平状に延在する使用位置との間で回動可能となるように上記シートに支持され、上記待機位置にあるときに上記アームレスト部材の後方に配置され、上記使用位置にあるときに上記アームレスト部材の上方に配置されるテーブル部材と、上記テーブル部材の後方に配置される収納容器と、上記テーブル部材と上記収納容器とを互いに回動自在に連結する連結アームと、を備え、上記テーブル部材における上記連結アームとの連結部は、上記テーブル部材が上記待機位置にあるときの上記第２回動軸よりも上方に位置し、上記テーブル部材が上記第２回動軸を中心に上記待機位置から上記使用位置へと回動する動作に連動して上記第２回動軸を中心に前方へ回動する、アームレスト装置にある。
【発明の効果】
【０００７】
上記のアームレスト装置において、アームレスト部材は、テーブル部材が待機位置にあるときに傾倒状態に設定されることによって、アームレスト面に人の肘や腕を乗せることを可能とするアームレスト機能を発揮する。一方で、テーブル部材は、アームレスト部材の後方の待機位置にあるため、アームレスト部材によるアームレスト機能を邪魔しない。このテーブル部材が待機位置から使用位置へと回動することによって、アームレスト部材によるアームレスト機能に代えて、テーブル面に物品を置くことを可能とするテーブル機能が発揮される。テーブル部材は、使用位置においてアームレスト部材の上方に配置されるため、シートに着座している人の手指がテーブル面の全体にわたって届きやすい。また、アームレスト部材がテーブル部材を収納する構造でないため、テーブル面の面積を設定するのにアームレスト部材から制約を受けることがない。従って、テーブル面の面積をアームレスト部材の外形の影響を受けることなく独立して設定することができる。
【０００８】
以上のごとく、上記のアームレスト装置は利便性を向上させるのに有効である。
【図面の簡単な説明】
【０００９】
【図１】本実施形態における自動車用のシートの斜視図。
【図２】本実施形態のアームレスト装置の斜視図。
【図３】図２のIII−III線矢視断面図。
【図４】アームレスト部材が傾動状態にあり且つテーブル部材が待機位置にあるときのアームレスト装置の斜視図。
【図５】図４のＶ−Ｖ線矢視断面図。
【図６】アームレスト部材が傾動状態にあり且つテーブル部材が使用位置にあるときのアームレスト装置の斜視図。
【図７】図６のＶII−ＶII線矢視断面図。
【発明を実施するための形態】
【００１０】
「シート」には、自動車、電車などの車両に設けられる車両用のシートをはじめ、車両以外の乗り物に設けられるシートや、会議場、劇場、映画館などの屋内施設に配置されるシート等が包含される。
【００１１】
上記のアームレスト装置において、上記アームレスト部材は、上記第１回動軸において上記テーブル部材に回動可能に支持され、上記第１回動軸は、上記テーブル部材が上記待機位置にあるときの上記第２回動軸よりも上方に位置すると共に、上記テーブル部材が上記第２回動軸を中心に上記待機位置から上記使用位置へと回動する動作に連動して上記第２回動軸を中心に前方へ回動することにより、上記テーブル部材が上記待機位置にあるときの上記アームレスト部材の上記アームレスト面よりも低所に上記テーブル部材の上記テーブル面が配置されるのが好ましい。これにより、アームレスト部材による適正なアームレスト機能と、テーブル部材による適正なテーブル機能との両立が可能になる。
【００１２】
上記のアームレスト装置は、上記テーブル部材の後方に配置される収納容器と、上記テーブル部材と上記収納容器とを互いに回動自在に連結する連結アームと、を備え、上記テーブル部材における上記連結アームとの連結部は、上記テーブル部材が上記待機位置にあるときの上記第２回動軸よりも上方に位置し、上記テーブル部材が上記第２回動軸を中心に上記待機位置から上記使用位置へと回動する動作に連動して上記第２回動軸を中心に前方へ回動するのが好ましい。これにより、テーブル部材と収納容器との簡単な連結構造を利用して、テーブル部材が待機位置から使用位置へと回動する動作を、収納容器の前方への直線的な動作に変換することができる。従って、収納容器に収納された物品をテーブル部材の使用時に収納容器から容易に取り出すことが可能になる。
【００１３】
上記のアームレスト装置において、上記テーブル部材が上記待機位置にあるとき、上記収納容器が上記シートのシートバックに後方に向けて凹むように設けられた格納凹部に格納され且つ上記テーブル部材が上記格納凹部の開口部分を塞ぐ一方で、上記テーブル部材が上記待機位置から上記使用位置へと回動することによって、上記テーブル部材が上記格納凹部の開口部分を開放して該開口部分を通じて上記収納容器が前方へ引き出されるのが好ましい。これにより、テーブル部材の不使用時には収納容器を人から見えないように格納凹部に格納し、テーブル部材の使用時においてのみ収納容器を格納凹部から引き出して使用することができる。
【００１４】
上記のアームレスト装置において、上記テーブル部材は、上記使用位置において上記シートのシートクッションの前端よりも後方に配置されるのが好ましい。これにより、人がシートクッションの前端に沿って左右に移動する際にテーブル部材が邪魔になりにくい。
【００１５】
以下、本実施形態のアームレスト装置について、複数の図面を参照しつつ説明する。このアームレスト装置は自動車用のシートに設けられている。これらの図面において、シート及びアームレスト装置の前後方向を矢印Ｘで示し、シート及びアームレスト装置の上下方向を矢印Ｙで示している。
【００１６】
図１に示されるように、シート１は、自動車の後席シートであり、シートクッション２及びシートバック３を備えている。シートクッション２は、乗員が実質的に着座する座部として構成されている。シートバック３は、シートクッション２の後端部から上方に向けて立ち上がるように配置された背もたれ部として構成されている。シートバック３の左右の座席部分の間に設けられた格納凹部４にアームレスト装置１０が配置されている。
【００１７】
図２及び図３に示されるように、アームレスト装置１０は、アームレスト部材２０、テーブル部材３０及び収納容器４０を備えている。尚、図２では、アームレスト装置１０の構造を明確にするために、便宜上、シート１をシートバック３の一部が破断された状態で示している。
【００１８】
アームレスト部材２０は、シート１に着座している乗員の肘や腕を乗せることができるような面積を有するアームレスト面２１を備えている。アームレスト部材２０は、回動中心である第１回動軸１１においてテーブル部材３０に設けられた左右一対の延出アーム３４，３４に回動可能に支持されている。各延出アーム３４は、テーブル部材３０のテーブル本体３１の左右両端部からそれぞれアームレスト部材２０に向けて延出している。第１回動軸１１は、延出アーム３４に設けられた孔部に回動自在に係合するようにアームレスト部材２０に設けられた軸部によって構成される。或いは、第１回動軸１１は、アームレスト部材２０に設けられた孔部に回動自在に係合するように延出アーム３４に設けられた軸部によって構成される。このため、アームレスト部材２０は、第１回動軸１１を中心に回動することにより起立状態と傾倒状態とに設定される。
【００１９】
ここでいう「起立状態」とは、アームレスト部材２０がシート１に対して上下方向に沿って起立した状態である。この起立状態において、アームレスト部材２０のアームレスト面２１が概ね垂直方向に延在する。本実施形態では、この起立状態において、アームレスト部材２０がシートバック３の前面に沿うように格納凹部４に格納される（図３中の実線で示されるアームレスト部材２０を参照）。これに対して、ここでいう「傾倒状態」とは、アームレスト部材２０が起立状態から前に倒れた状態である。この傾倒状態において、アームレスト部材２０のアームレスト面２１が水平状、即ち概ね水平方向に延在する（図３中の二点鎖線で示されるアームレスト部材２０を参照）。その結果、アームレスト面２１に乗員の肘や腕を乗せることが可能になる、アームレスト部材２０の本質的なアームレスト機能が発揮される。
【００２０】
テーブル部材３０は、前記の延出アーム３４，３４を有する略方形板状のテーブル本体３１と、テーブル本体３１に固定された支持部３５と、を備えている。テーブル本体３１の両面３２，３３のうち一方の面である表面３２は、物品が載置されるテーブル面となる。以下、テーブル面３２という。テーブル本体３１の両面３２，３３のうち他方の面である裏面３３は、アームレスト部材２０に対向する面となる。支持部３５は、テーブル本体３１の裏面３３においてテーブル長手方向の一端部に固定されている。テーブル部材３０は、回動中心である第２回動軸１２においてシートバック３に回動可能に支持されている。第２回動軸１２は、シートバック３に設けられた孔部に回動自在に係合するように支持部３５に設けられた軸部によって構成される。或いは、第２回動軸１２は、支持部３５に設けられた孔部に回動自在に係合するようにシートバック３に設けられた軸部によって構成される。このため、テーブル部材３０は、第２回動軸１２を中心に待機位置と使用位置との間で回動可能に構成されている。
【００２１】
ここでいう「待機位置」とは、テーブル部材３０がシート１に対して上下方向に沿って起立し且つアームレスト部材２０の後方に配置される位置である。この待機位置において、テーブル本体３１のテーブル面３２が概ね垂直方向に延在する。本実施形態では、この待機位置において、更にテーブル部材３０は、テーブル本体３１のテーブル面３２がアームレスト部材２０のアームレスト面２１と概ね平行に延在しつつ格納凹部４に格納される。これに対して、ここでいう「使用位置」とは、テーブル部材３０が待機位置から前に倒れ且つアームレスト部材２０の上方に配置される位置である。この使用位置において、テーブル本体３１のテーブル面３２が水平状、即ち概ね水平方向に延在する。その結果、テーブル面３２に物品を置くことが可能になり、テーブル部材３０の本質的なテーブル機能が発揮される。尚、テーブル本体３１に、飲料容器等を挿入可能な挿入穴を設けることもできる。
【００２２】
収納容器４０は、テーブル部材３０の後方に配置され、且つ前後方向に移動可能な状態で格納凹部４に格納されている。収納容器４０は、本体部４１及びトレイ部４２を備えている。本体部４１は、有底箱形状をなし、物品を収納する収納空間を有するとともに、上部開口がトレイ部４２によって塞がれている。トレイ部４２は、平板状に構成されるとともに、飲料容器等を挿入可能な複数（本実施形態では３つ）の挿入穴４３を有する。これにより、本体部４１の上下方向の高さを上回る寸法の飲料容器（図３中の飲料容器Ｂ）は、所定の挿入穴４３を通じて本体部４１の収納空間に挿入された状態でその動きが規制される。トレイ部４２の上面のうち挿入穴４３を除く面は、物品が載置される載置面として用いられる。
【００２３】
収納容器４０は、連結アーム５０を介してテーブル部材３０に連結されている。連結アーム５０は、テーブル部材３０と収納容器４０とを互いに回動自在に連結する。即ち、連結アーム５０は、その一端部がテーブル部材３０の連結部１３に回動自在に連結され、且つその他端部が収納容器４０の連結部１４に回動自在に連結されている。連結部１３，１４は、連結アーム５０に設けられた孔部に回動自在に係合するようにテーブル部材３０又は収納容器４０に設けられた軸部によって構成される。或いは、連結部１３，１４は、テーブル部材３０又は収納容器４０に設けられた孔部に回動自在に係合するように連結アーム５０に設けられた軸部によって構成される。
【００２４】
図３に示されるように、アームレスト装置１０は、テーブル部材３０が待機位置Ｐ１にあるとき、第１回動軸１１が第２回動軸１２よりも上方に位置するように構成されている。また、アームレスト装置１０は、テーブル部材３０が待機位置Ｐ１にあるとき、テーブル部材３０における連結アーム５０との連結部１３は、第２回動軸１２よりも上方、即ち上下方向について第１回動軸１１と第２回動軸１２との間に位置するように構成されている。
【００２５】
以下に、上記構成のアームレスト装置１０の動作について図２〜図７を参照しつつ説明する。本実施形態では、このアームレスト装置１０を少なくとも次に挙げる３つの設定モードに設定可能である。
【００２６】
（第１の設定モード）
第１の設定モードは、アームレスト部材２０、テーブル部材３０及び収納容器４０のいずれも使用不能な設定モードである。この第１の設定モードでは、図２及び図３に示されるように、テーブル部材３０が待機位置Ｐ１に設定され且つアームレスト部材２０が起立状態Ｃ１に設定される。アームレスト部材２０及びテーブル部材３０はともに格納凹部４に格納され、且つテーブル部材３０は、テーブル本体３１によって格納凹部４の開口部分を塞ぐ。起立状態Ｃ１にあるアームレスト部材２０の第１回動軸１１を中心とした図３中の右回りの回動は、このアームレスト部材２０がシートバック３と係合することによって阻止される。同様に、待機位置Ｐ１にあるテーブル部材３０の第２回動軸１２を中心とした図３中の右回りの回動は、このテーブル部材３０がシートバック３と係合することによって阻止される。
【００２７】
（第２の設定モード）
第２の設定モードは、アームレスト部材２０のみが使用可能であり、且つテーブル部材３０及び収納容器４０のいずれも使用不能な設定モードである。この第２の設定モードでは、図４及び図５に示されるように、テーブル部材３０が待機位置Ｐ１に設定され且つアームレスト部材２０が傾倒状態Ｃ２に設定される。
【００２８】
第１の設定モードから第２の設定モードへ移行する場合、乗員は、起立状態Ｃ１にあるアームレスト部材２０が第１回動軸１１を中心に前方（図５中の矢印Ｒ１で示される方向）に回動するようにアームレスト部材２０を操作する。これにより、アームレスト部材２０は、アームレスト面２１が水平状に延在する傾倒状態Ｃ２に設定される。従って、アームレスト部材２０は、アームレスト面２１に人の肘や腕を乗せることを可能とするアームレスト機能を発揮する。このとき、テーブル部材３０は、アームレスト部材２０の後方の待機位置Ｐ１にあるため、アームレスト部材２０のアームレスト機能を邪魔しない。傾倒状態Ｃ２に設定されたアームレスト部材２０の更なる前方への回動は、このアームレスト部材２０がテーブル部材３０の支持部３５と係合することによって阻止される。一方で、第２の設定モードから第１の設定モードに戻す場合、乗員は、傾倒状態Ｃ２にあるアームレスト部材２０が第１回動軸１１を中心に後方（図５中の矢印Ｒ２で示される方向）に回動するようにアームレスト部材２０を操作する。
【００２９】
（第３の設定モード）
第３の設定モードは、アームレスト部材２０のみが使用不能であり、且つテーブル部材３０及び収納容器４０のいずれも使用可能な設定モードである。この第３の設定モードでは、図６及び図７に示されるように、アームレスト部材２０が傾倒状態Ｃ２のままでテーブル部材３０が使用位置Ｐ２に設定される。
【００３０】
第２の設定モードから第３の設定モードへ移行する場合、乗員は、待機位置Ｐ１にあるテーブル部材３０が第２回動軸１２を中心に前方（図７中の矢印Ｒ３で示される方向）に回動するようにテーブル部材３０を操作する。このとき、アームレスト部材２０は、その傾倒状態Ｃ２を維持するように、テーブル部材３０に対して第１回動軸１１を中心に右回りに回動する。この動作は、乗員によって手動で行われてもよいし、或いはアームレスト部材２０を傾倒状態Ｃ２に保持する機構（図示省略）によって自動で行われてもよい。一方で、第３の設定モードから第２の設定モードに戻す場合、乗員は、使用位置Ｐ２にあるテーブル部材３０が第２回動軸１２を中心に後方（図７中の矢印Ｒ４で示される方向）に回動するようにテーブル部材３０を操作する。また、乗員は、アームレスト部材２０が傾倒状態Ｃ２を維持するようにアームレスト部材２０を操作する。
【００３１】
第３の設定モードにおいて、テーブル部材３０は、テーブル面３２が水平状に延在する使用位置Ｐ２に設定される。アームレスト部材２０は、テーブル部材３０の下方に配置される。これにより、アームレスト部材２０によるアームレスト機能に代えて、テーブル面３２に物品を置くことを可能とするテーブル機能が発揮される。
【００３２】
テーブル部材３０は、使用位置Ｐ２においてアームレスト部材２０の上方に配置されるため、シート１に着座している人の手指がテーブル面３２の全体にわたって届きやすい。また、テーブル部材３０が使用時にアームレスト部材２０から引き出される引き出し式でないため、テーブル面３２の面積を設定するのにアームレスト部材２０から制約を受けることがない。従って、テーブル面３２の面積をアームレスト部材２０の外形の影響を受けることなく独立して設定することができる。例えば、テーブル面３２の面積をアームレスト面２１の面積と同等、若しくはアームレスト面２１の面積を上回るように設定することが可能になる。また、テーブル部材３０は、使用位置Ｐ２においてシート１のシートクッション２の前端部２ａよりも後方に配置される。これにより、人がシートクッション２の前端部２ａに沿って左右に移動する際にテーブル部材３０が邪魔になりにくい。このように、本実施形態のアームレスト装置１０は、特にテーブル部材３０について利便性が高く、引き出し式のテーブル部材に対して上記のような点において有利である。
【００３３】
第２の設定モードから第３の設定モードへ移行する際、第１回動軸１１は、テーブル部材３０が第２回動軸１２を中心に待機位置Ｐ１から使用位置Ｐ２へと回動する動作に連動して第２回動軸１２を中心に前方へ回動する。第１回動軸１１は、テーブル部材３０が待機位置Ｐ１にあるときよりも低所に配置される。その結果、テーブル部材３０が待機位置Ｐ１にあるときのアームレスト部材２０（図７中の二点鎖線を参照）のアームレスト面２１よりも低所にテーブル部材３０のテーブル面３２が配置される。
【００３４】
第３の設定モードにおけるテーブル部材３０のテーブル面３２は、第２の設定モードにおけるアームレスト部材２０のアームレスト面２１よりも高低差ΔＨの分だけ低い位置に配置される。即ち、テーブル部材３０のテーブル面３２の使用位置が、アームレスト部材２０のアームレスト面２１の使用位置よりも下がる。シート１に着座した乗員の手指の動きを考慮した人間工学に基づいた場合、テーブル面３２をアームレスト面２１に比べて相対的に低い位置に設定するのが好ましい。従って、アームレスト部材２０及びテーブル部材３０のそれぞれを最適位置で使用できる。これにより、アームレスト部材２０による適正なアームレスト機能と、テーブル部材３０による適正なテーブル機能との両立が可能になる。
【００３５】
また、第２の設定モードから第３の設定モードへ移行する際、テーブル部材３０が待機位置Ｐ１から使用位置Ｐ２へと回動することによって、テーブル部材３０は、テーブル本体３１によって格納凹部４の開口部分を開放する。一方で、テーブル部材３０における連結アーム５０との連結部１３は、テーブル部材３０が第２回動軸１２を中心に待機位置Ｐ１から使用位置Ｐ２へと回動する動作に連動して第２回動軸１２を中心に前方へ回動する。これにより、収納容器４０における連結アーム５０との連結部１４が前方へ移動することによって収納容器４０も前方へ移動する。その結果、収納容器４０は、格納凹部４の開口部分を通じて前方へ引き出される。
【００３６】
この場合、テーブル部材３０と収納容器４０との簡単な連結構造を利用して、テーブル部材３０が待機位置Ｐ１から使用位置Ｐ２へと回動する動作を、収納容器４０の前方への直線的な動作に変換することができる。従って、収納容器４０に収納された物品をテーブル部材３０の使用時に収納容器から容易に取り出すことが可能になる。また、テーブル部材３０の不使用時には収納容器４０を人から見えないように格納凹部４に格納し、テーブル部材３０の使用時においてのみ収納容器４０を格納凹部４から引き出して使用することができる。
【００３７】
本発明は、上記の典型的な実施形態のみに限定されるものではなく、本発明の目的を逸脱しない限りにおいて種々の応用や変形が考えられる。例えば、上記の実施形態を応用した次の各形態を実施することもできる。
【００３８】
上記の実施形態では、アームレスト部材２０は、シート１に回動可能に支持されたテーブル部材３０に回動可能に支持される場合について記載したが、このアームレスト部材２０がシート１に回動可能に支持されるように構成されてもよい。本構成によれば、アームレスト部材２０及びテーブル部材３０のそれぞれがシート１に回動可能に支持される。
【００３９】
上記の実施形態では、テーブル部材３０に連結アーム５０を介して収納容器４０を連結する場合について記載したが、アームレスト装置１０において、収納容器４０及び連結アーム５０のみが省略された構造を採用することもできる。
【００４０】
上記の実施形態では、自動車用のシート１に配置されるアームレスト装置１０について記載したが、このアームレスト装置１０の構造を、自動車以外の車両や乗り物に設けられるシートや、会議場、劇場、映画館などの屋内施設に配置されるシート等に配置されるアームレスト装置に適用することもできる。
【符号の説明】
【００４１】
１  シート
２  シートクッション
２ａ  前端部
３  シートバック
４  格納凹部
１０  アームレスト装置
１１  第１回動軸
１２  第２回動軸
１３，１４  連結部
２０  アームレスト部材
２１  アームレスト面
３０  テーブル部材
３１  テーブル本体
３２  テーブル面
４０  収納容器
５０  連結アーム
【図１】
0006485319.tif 000002
【図２】
0006485319.tif 000003
【図３】
0006485319.tif 000004
【図４】
0006485319.tif 000005
【図５】
0006485319.tif 000006
【図６】
0006485319.tif 000007
【図７】
0006485319.tif 000008